(57)【要約】【課題】情報端末装置との通信時に操作部が誤操作されにくい構成を簡単な構成で実現した画像形成装置を提供する。【解決手段】複合機１は、情報端末装置との間で近距離無線通信により通信するＮＦＣ基板４４と、ＮＦＣ基板４４に対向し、情報端末装置が載置される載置面４１１ａと、載置面４１１ａに並設され、載置面４１１ａと平行な操作面４３ａ〜４３ｄを有し、操作面４３ａ〜４３ｄが載置面４１１ａよりも突出した第１〜第４押しボタン４３１〜４３４と、載置面４１１ａと第１〜第４押しボタン４３１〜４３４との間に設けられ、第１〜第４押しボタン４３１〜４３４が反応するときの操作面４３ａ〜４３ｄ以上に突出したリブ４５とを備える。【選択図】図４
2017184199.tif 000002
【特許請求の範囲】
【請求項１】
情報端末装置との間で近距離無線通信により通信する通信部と、
前記通信部に対向し、前記情報端末装置が載置される載置面と、
前記載置面に並設され、前記載置面と平行な操作面を有し、該操作面が前記載置面よりも突出した操作部と、
前記載置面と前記操作部との間に設けられ、前記操作部が反応するときの前記操作面以上に突出した突出部とを備えた画像形成装置。
【請求項２】
前記突出部は前記操作部に沿って配置されることを特徴とする請求項１に記載の画像形成装置。
【請求項３】
前記突出部は１本のリブであることを特徴とする請求項１に記載の画像形成装置。
【請求項４】
前記突出部は前記操作部が操作されていない状態の前記操作面以上に突出していることを特徴とする請求項１から請求項３の何れか一項に記載の画像形成装置。
【請求項５】
前記載置面と前記操作部と前記突出部とは一体の平坦なパネルに配置されることを特徴とする請求項１から請求項４の何れか一項に記載の画像形成装置。
【請求項６】
前記突出部の前記操作部と反対側に隣接してラベルを貼着するラベル領域を設けたことを特徴とする請求項１から請求項５の何れか一項に記載の画像形成装置。
【請求項７】
前記操作部の前記突出部と反対側に、前記操作部が反応するときの前記操作面以上に突出した補助突出部を設けたことを特徴とする請求項１から請求項６の何れか一項に記載の画像形成装置。
【発明の詳細な説明】
【技術分野】
【０００１】
本発明は、情報端末装置との間で近距離無線通信により通信可能な画像形成装置に関する。
【背景技術】
【０００２】
従来、近距離無線通信によってスマートフォンやタブレット端末等の情報端末装置と通信する通信部を備えた画像形成装置が知られている。このような画像形成装置の中には、通信部が操作パネルの中に配設され、操作パネルに情報端末装置を接近又は当接させる当接面が設けられているものもある。このような操作パネルには操作ボタンやタッチパネル等の操作部も配置されている。
【０００３】
このような画像形成装置においては、ユーザが情報端末装置を当接面に接近又は当接させる際に、情報端末装置の一部が操作部上にはみ出し、意図せずに情報端末装置の当接面側の面で操作部が誤操作されるおそれがある。この対策として、例えば特許文献１では、当接面に相当する載置面を操作パネルの操作面よりも突出させた構成としている。
【先行技術文献】
【特許文献】
【０００４】
【特許文献１】特開２０１０−１１４７８４号公報
【発明の概要】
【発明が解決しようとする課題】
【０００５】
しかしながら、特許文献１の構成によると、載置面の周囲に段差が生じるため、全体の統一感がなかった。また、特許文献１では載置面を操作パネルと別体とし、回動可能とする構成も開示されているが、構造が複雑になりコストが掛かってしまうという問題もある。
【０００６】
本発明は、情報端末装置との通信時に操作部が誤操作されにくい構成を簡単な構成で実現した画像形成装置を提供することを目的とする。
【課題を解決するための手段】
【０００７】
本発明の画像形成装置は、情報端末装置との間で近距離無線通信により通信する通信部と、前記通信部に対向し、前記情報端末装置が載置される載置面と、前記載置面に並設され、前記載置面と平行な操作面を有し、該操作面が前記載置面よりも突出した操作部と、前記載置面と前記操作部との間に設けられ、前記操作部が反応するときの前記操作面以上に突出した突出部とを備えた構成とする。
【０００８】
上記の構成によれば、ユーザにより情報端末装置が載置面に載置された場合に、情報端末装置の一部が操作部上にはみ出しても情報端末装置の載置面側の面が突出部に当接する。このとき、情報端末装置の載置面側の面は操作部に接触しないか、接触しても突出部の突出高さが操作部が反応する高さよりも高く設けられているので、いずれにしても操作部が反応することはない。
【発明の効果】
【０００９】
本発明によれば、情報端末装置の載置面側の面が突出部に当接することにより、情報端末装置の載置面側の面で操作部が操作されることを抑制できる。よって、情報端末装置を載置面に載置するときに操作部の誤操作を抑制できる。また、載置面と操作部との間に段差ではなく簡単な構成である突出部を設けているので統一感がある。
【図面の簡単な説明】
【００１０】
【図１】一実施形態の複合機の斜視図である。
【図２】一実施形態の複合機の斜視図である。
【図３】パネルユニットの正面図である。
【図４】パネルユニットの部分拡大斜視図である。
【図５】図３のＡ−Ａ線断面図である。
【図６】変形例１のパネルユニットの部分拡大図である。
【図７】変形例２のパネルユニットの部分拡大図である。
【発明を実施するための形態】
【００１１】
以下の実施形態では、画像形成装置であるプリンタと、画像読取装置であるスキャナとを搭載した複合機を例に説明する。また、図１に示すように複合機が使用可能に設置された状態を基準とし、前後、左右、上下の各方向を定める。
【００１２】
［複合機の全体構成］
図１及び図２は一実施形態の複合機の斜視図である。図１はパネルユニットが直立した状態を示し、図２はパネルユニットが傾斜した状態を示している。複合機１は、プリンタユニット２と、プリンタユニット２の上部に搭載されたスキャナユニット３とを備えている。
【００１３】
プリンタユニット２の前部上側には、ユーザによって操作されるパネルユニット４が設けられている。また、パネルユニット４の下方には、印刷後のシートを排出する排出口５が形成されている。排出口５の下方には、印刷前のシートが収納されるシートカセット６が装着されている。プリンタユニット２の左右下端部には、ユーザが複合機１を持ち上げるための把持部２１が形成されている。
【００１４】
また、プリンタユニット２には、シートカセット６又は背面給紙トレイから送られてくるシートに画像を形成し、画像が形成されたシートを排出口５に送り出す画像形成部（図示せず）が内蔵されている。なお、画像形成部の方式には特に限定はなく、例えば、インクジェットプリント方式やレーザープリント方式を採用できる。
【００１５】
スキャナユニット３は、フラットベッド型のカバー部３２と、プリンタユニット２の上部及びカバー部３２の下部に配設された画像読取部（図示せず）を備えている。画像読取部としては、例えば、光源から読み取り対象となる原稿に光を照射して、その反射光を電気信号に変換するイメージセンサをモータによって左右方向へ往復走査させるイメージスキャナを採用できる。また、スキャナユニット３は、複数枚の原稿を一枚ずつ分離して記録面の画像をイメージセンサで読み取るためのＡＤＦ（Ａｕｔｏｍａｔｉｃ  Ｄｏｃｕｍｅｎｔ  Ｆｅｅｄｅｒ）３１も備えている。
【００１６】
以上説明した複合機１の各部のうち、少なくともパネルユニット４からの入力を受け付けて、画像形成部、画像読取部の動作を制御するための制御部（図示せず）が、複合機１の筐体内部に設置されている。制御部には、複合機１のプリンタ機能、スキャン機能、コピー機能などを実現するための各種処理を実行するマイコンが実装されている。
【００１７】
［パネルユニットの構成］
図３はパネルユニットの正面図、図４はパネルユニットの部分拡大斜視図、図５は図３のＡ−Ａ線断面図である。
【００１８】
パネルユニット４は、ケース４１と、表示部４２と、操作部４３と、当接面に相当する載置面４１１ａと、通信部の一例としてのＮＦＣ（Ｎｅａｒ  Ｆｉｅｌｄ  Ｃｏｍｍｕｎｉｃａｔｉｏｎ）基板４４と、突出部の一例としてのリブ４５と、ラベル領域４６とを備えている。当接面とは、パネルユニット４に収容されているＮＦＣ基板４４に情報端末装置を接近又は当接させる面である。
【００１９】
ケース４１は、厚みの薄い直方体状の筐体であり、パネルユニット４の外形を構成する。パネルユニット４の各部材はケース４１に収容される。ケース４１の操作面側は一体の平坦なパネル４１１で形成されている。これにより、各部材をパネル４１１に配置したときの一体感が増す。その結果、意匠性が向上する。
【００２０】
表示部４２は複合機１の状態や機能等を表示するものであり、パネル４１１の中央付近に配置される。表示部４２としては、液晶ディスプレイやエレクトロルミネッセンスディスプレイ等を用いることができる。また、表示部４２に抵抗膜方式や静電容量方式のタッチパネルを重畳してもよい。
【００２１】
操作部４３はユーザによって操作されるものであり、パネル４１１の各所に分けて配置される。操作部４３は複数の押しボタンで構成される。押しボタンとしては押している間だけスイッチがオンになる自動復帰型スイッチを用いることができる。ここでは、表示部４２の左方に４つ並んで配置される押しボタンを第１〜第４押しボタン４３１〜４３４と称する。第１〜第４押しボタン４３１〜４３４の操作面４３ａ〜４３ｄはパネル４１１よりも突出し、パネル４１１と平行な面となっている。第１〜第４押しボタン４３１〜４３４にはユーザが所望の機能を割り当てることができるようになっている。
【００２２】
なお、操作部４３は押しボタンに限らず、ユーザが押すことで操作できるものであればよく、例えばタッチパネルに配置されるタッチキーであってもよい。
【００２３】
載置面４１１ａは、この複合機１とデータ通信をするためにスマートフォンやタブレット端末等の情報端末装置Ｐが載置（接近又は当接も含む）される場所であり、第１〜第４押しボタン４３１〜４３４の左方に並設される。載置面４１１ａはパネル４１１の一部の領域を利用している。したがって、載置面４１１ａを基準にすると、第１〜第４押しボタン４３１〜４３４の操作面４３ａ〜４３ｄは、載置面４１１ａと平行であって載置面４１１ａよりも突出しているといえる。
【００２４】
また、載置面４１１ａには載置面４１１ａであることを示すマーク４１２が印字されている。ユーザはこのマーク４１２部分を目安にして情報端末装置Ｐを載置することで情報端末装置Ｐと複合機１との間で無線通信させることができる。
【００２５】
ＮＦＣ基板４４は、載置面４１１ａに対向してケース４１内に配設される。ＮＦＣ基板４４は載置面４１１に載置された情報端末装置Ｐと近距離無線通信方式で通信する通信部であり、ループアンテナ、通信回路、検出回路等で構成される。ループアンテナは情報端末装置Ｐと通信するための電波を送受信する機能を有する。通信回路は送受信される電波を信号処理する機能を有する。検出回路はループアンテナに流れる電流を検出することにより、ループアンテナにて送受信される電波の強度を検出する機能を有する。
【００２６】
なお、複合機１と情報端末装置Ｐとの通信方式はＮＦＣ方式に限らず、ｂｌｕｅｔｏｏｔｈ方式や赤外線通信方式等の近距離無線通信を用いることもできる。
【００２７】
リブ４５は、載置面４１１ａと第１〜第４押しボタン４３１〜４３４との間に設けられた突出部であり、パネル４１１と一体成型されている。リブ４５は、少なくとも第１〜第４押しボタン４３１〜４３４を押下操作した際に、第１〜第４押しボタン４３１〜４３４が反応するときの操作面４３ａ〜４３ｄ以上に突出する高さとする。より具体的には、リブ４５は第１〜第４押しボタン４３１〜４３４の左側に沿って左右方向と直交する方向に直線状に延びた１本の部材である。
【００２８】
このようなリブ４５を設けることにより、ユーザによって情報端末装置Ｐが載置面４１１ａに載置された場合に、情報端末装置Ｐの一部が第１〜第４押しボタン４３１〜４３４上にはみ出しても、図５に示すように、情報端末装置Ｐの載置面４１１ａ側の面がリブ４５に当接する。
【００２９】
このとき、情報端末装置Ｐの載置面４１１ａ側の面は第１〜第４押しボタン４３１〜４３４に接触しないか、接触してもリブ４５の高さが第１〜第４押しボタン４３１〜４３４が反応する高さよりも高く設けられているので、いずれにしても第１〜第４押しボタン４３１〜４３４が反応することはない。よって、情報端末装置Ｐを載置面４１１ａに載置するときに、情報端末装置Ｐの載置面４１１ａ側の面で第１〜第４押しボタン４３１〜４３４を押下することによる誤操作を抑制できる。
【００３０】
また、載置面４１１ａと第１〜第４押しボタン４３１〜４３４との間に段差ではなく簡単な構成であるリブ４５を設けているので意匠性が損なわれることもない。また、１本の直線状のリブ４５とすることで、リブ４５と第１〜第４押しボタン４３１〜４３４との一体感が増す。その結果、意匠性が向上する。
【００３１】
また、第１〜第４押しボタン４３１〜４３４に沿った形状にリブ４５を配置することで、第１〜第４押しボタン４３１〜４３４の誤操作を抑制する効果が高くなる。また、載置面４１１ａと第１〜第４押しボタン４３１〜４３４とリブ４５とが平坦なパネル４１１上に配置されるので３つの部材の一体感が増す。その結果、意匠性が向上する。
【００３２】
さらに、リブ４５は第１〜第４押しボタン４３１〜４３４が操作されていない状態の操作面４３ａ〜４３ｄ以上の高さに突出していることが好ましい。リブ４５をより高くすることで、第１〜第４押しボタン４３１〜４３４の誤操作を抑制する効果が高くなるからである。
【００３３】
ラベル領域４６は、第１〜第４押しボタン４３１〜４３４に割り当てた機能の名称を記載したラベル４６１を貼着するための部分である。ラベル領域４６はリブ４５の第１〜第４押しボタン４３１〜４３４と反対側に隣接して設けられる略長方形の部分であり、第１〜第４押しボタン４３１〜４３４の左側にそれぞれに対応したラベル４６１を貼着することができる。
【００３４】
本実施形態においてラベル領域４６はパネル４１１の表面に形成された凹部としている。なお、ラベル領域４６はパネル４１１と面一、即ち同一高さの面であってもよいし、パネル４１１に形成された凸部であってもよい。
【００３５】
ラベル領域４６にラベル４６１を貼着する場合、ラベル４６１の右端部をリブ４５の左面に当接させて位置決めすることで、第１〜第４押しボタン４３１〜４３４それぞれに対応するラベル４６１の右端部を揃えることができる。
【００３６】
このように、リブ４５は第１〜第４押しボタン４３１〜４３４とラベル４６１とを仕切る意匠になるとともに、ラベル４６１を貼着するときの位置決めの基準にもなる。また、ラベル領域４６とリブ４５と第１〜第４押しボタン４３１〜４３４とをパネル４１１の長方形の凹部に配置することで一体感が増す。その結果、意匠性が向上する。
【００３７】
［変形例１］
図６に、変形例１のパネルユニットの部分拡大図を示す。このパネルユニット７は補助突出部の一例としての補助リブ７１が設けられている点で上記の実施形態と異なる。その他の構成は上記の実施形態と同様であるので、説明を省略する。
【００３８】
補助リブ７１は、第１〜第４押しボタン４３１〜４３４のリブ４５と反対側に設けられた補助突出部であり、パネル４１１と一体成型されている。補助リブ７１は、少なくとも第１〜第４押しボタン４３１〜４３４が反応するときの操作面４３ａ〜４３ｄ以上に突出する高さとする。より具体的には、補助リブ７１は第１〜第４押しボタン４３１〜４３４の右側に沿って左右方向と直交する方向に直線状に延びた１本の部材である。
【００３９】
このような補助リブ７１を設けることで、情報端末装置が様々な角度で載置された場合でも情報端末装置Ｐの載置面４１１ａ側の面が補助リブ７１に当接することで第１〜第４押しボタン４３１〜４３４に接触しにくくなり、第１〜第４押しボタン４３１〜４３４の誤操作を抑制する効果が高くなる。なお、リブ４５と補助リブ７１とを繋げて第１〜第４押しボタン４３１〜４３４の周囲を囲むリブとしてもよい。
【００４０】
［変形例２］
図７に、変形例２のパネルユニットの部分拡大図を示す。このパネルユニット８は突出部の一例としての４つのボス８１が設けられている点で上記の実施形態と異なる。その他の構成は上記の実施形態と同様であるので、説明を省略する。
【００４１】
ボス８１は、第１〜第４押しボタン４３１〜４３４の左側に１つずつ設けられる略円柱状の突出部である。ボス８１の高さはリブ４５と同様である。なお、ボス８１は載置面４１１ａと第１〜第４押しボタン４３１〜４３４との間に設けられていればよく、少なくとも１つあればよく、２つ又は３つ、さらに５つ以上であってもよい。
【００４２】
このようなボス８１によっても上記の実施形態と同様に、情報端末装置Ｐを載置面４１１ａに載置するときに、情報端末装置Ｐの載置面４１１ａ側の面で第１〜第４押しボタン４３１〜４３４を押下することによる誤操作を抑制できる。なお、変形例１における補助リブ７１をボスに置き換えることもできる。
【００４３】
［実施形態の効果］
上記の実施形態である複合機１は、情報端末装置Ｐとの間で近距離無線通信により通信する通信部であるＮＦＣ基板４４と、ＮＦＣ基板４４に対向し、情報端末装置Ｐが載置される載置面４１１ａと、載置面４１１ａに並設され、載置面４１１ａと平行な操作面４３ａ〜４３ｄを有し、操作面４３ａ〜４３ｄが載置面４１１ａよりも突出した操作部である第１〜第４押しボタン４３１〜４３４と、載置面４１１ａと第１〜第４押しボタン４３１〜４３４との間に設けられ、第１〜第４押しボタン４３１〜４３４が反応するときの操作面４３ａ〜４３ｄ以上に突出した突出部であるリブ４５とを備える。
【００４４】
この構成によれば、ユーザにより情報端末装置Ｐが載置面４１１ａに載置された場合に、情報端末装置Ｐの一部が第１〜第４押しボタン４３１〜４３４上にはみ出しても情報端末装置Ｐの載置面４１１ａ側の面がリブ４５に当接する。このとき、情報端末装置Ｐの載置面４１１ａ側の面で第１〜第４押しボタン４３１〜４３４が操作されることを抑制できる。よって、情報端末装置Ｐを載置面４１１ａに載置するときに第１〜第４押しボタン４３１〜４３４の誤操作を抑制できる。また、４１１ａと第１〜第４押しボタン４３１〜４３４との間に段差ではなく簡単な構成であるリブ４５を設けているので意匠性が損なわれることもない。
【００４５】
また上記の実施形態である複合機１によれば、リブ４５は第１〜第４押しボタン４３１〜４３４に沿って配置される。
【００４６】
この構成によれば、第１〜第４押しボタン４３１〜４３４に沿った形状にリブ４５を配置するので、第１〜第４押しボタン４３１〜４３４の誤操作を抑制する効果が高くなる。
【００４７】
また上記の実施形態である複合機１によれば、リブ４５は１本のリブ４５である。
【００４８】
この構成によれば、リブ４５と第１〜第４押しボタン４３１〜４３４との一体感が増し、意匠性が向上する。
【００４９】
また上記の実施形態である複合機１によれば、リブ４５は第１〜第４押しボタン４３１〜４３４が操作されていない状態の操作面４３ａ〜４３ｄ以上に突出している。
【００５０】
この構成によれば、リブ４５をより高くすることで、第１〜第４押しボタン４３１〜４３４の誤操作を抑制する効果が高くなる。
【００５１】
また上記の実施形態である複合機１によれば、載置面４１１ａと第１〜第４押しボタン４３１〜４３４とリブ４５とは一体の平坦なパネル４１１に配置される。
【００５２】
この構成によれば、載置面４１１ａと第１〜第４押しボタン４３１〜４３４とリブ４５の一体感が増し、意匠性が向上する。
【００５３】
また上記の実施形態である複合機１によれば、リブ４５の第１〜第４押しボタン４３１〜４３４と反対側に隣接してラベル４６１を貼着するラベル領域４６を設けている。
【００５４】
この構成によれば、リブ４５が第１〜第４押しボタン４３１〜４３４とラベル４６１との仕切りの意匠になるとともに、ラベル４６１を貼着するときの位置決めにもなる。
【００５５】
また上記の変形例１によれば、第１〜第４押しボタン４３１〜４３４のリブ４５と反対側に、第１〜第４押しボタン４３１〜４３４が反応するときの操作面４３ａ〜４３ｄ以上に突出した補助突出部である補助リブ７１を設けている。
【００５６】
この構成によれば、補助リブ７１を設けることで、情報端末装置Ｐが載置される様々な角度に対して第１〜第４押しボタン４３１〜４３４の誤操作を抑制する効果が高くなる。
【符号の説明】
【００５７】
１          複合機（画像形成装置）
４３ａ      操作面
４３ｂ      操作面
４３ｃ      操作面
４３ｄ      操作面
４４        ＮＦＣ基板（通信部）
４５        リブ（突出部）
４６        ラベル領域
７１        補助リブ（補助突出部）
４１１      パネル
４１１ａ    載置面
４３１      第１押しボタン（操作部）
４３２      第２押しボタン（操作部）
４３３      第３押しボタン（操作部）
４３４      第４押しボタン
４６１      ラベル
Ｐ          情報端末装置
【図１】
2017184199.tif 000003
【図２】
2017184199.tif 000004
【図３】
2017184199.tif 000005
【図４】
2017184199.tif 000006
【図５】
2017184199.tif 000007
【図６】
2017184199.tif 000008
【図７】
2017184199.tif 000009